(57)【特許請求の範囲】
【請求項１】
通信局装置から拡散信号を受信する無線通信装置であって、
基準となる通信局装置から受信されるパスの中で受信レベルが最大となるパスの受信タイミングを基準となるタイミングとして、当該基準となるタイミングを中心とする時間窓の外側に受信パスが存在する他の通信局装置を検出する窓外他局検出手段と、
前記基準となるタイミングを中心とする時間窓の内側に受信パスが存在する通信局装置の候補の内で、未検出の通信局装置を検出する窓内他局検出手段と、
前記基準となるタイミングと同一の受信タイミングに受信パスが存在する通信局装置の候補の内で、未検出の通信局装置を検出するパス内他局検出手段と、
窓外他局検出手段と窓内他局検出手段とパス内他局検出手段の内のいずれか一つにより処理を行うように切り替える切替手段と、
を備えたことを特徴とする無線通信装置。
【請求項２】
請求項１に記載の無線通信装置において、
各通信局装置毎に固有なコードが属するグループを識別するための固有コードグループ識別コードを用いて拡散されるとともに前記固有なコードを用いて拡散された信号を無線送信する通信局装置から当該拡散信号を受信し、
前記パス内他局検出手段は、当該受信拡散信号を複数の固有コードグループ識別コードのそれぞれを用いて逆拡散する逆拡散手段と、当該逆拡散結果に基づく値が所定の閾値を超える固有コードグループ識別コードに対応した固有コードグループを候補として検出する固有コードグループ候補検出手段と、固有コードグループ候補検出手段により検出された候補に属する固有コードの中から当該受信拡散信号の拡散に用いられた固有コードを同定する固有コード同定手段を備えたことを特徴とする無線通信装置。
【請求項３】
請求項２に記載の無線通信装置において、
固有コードグループ識別コードは所定の複数のスロットコードから構成され、当該所定の複数のスロットコードの並びと固有コードグループとが対応させられる、
ことを特徴とする無線通信装置。
【請求項４】
請求項１乃至請求項３のいずれか１項に記載の無線通信装置において、
通信局装置に相当する基地局装置と移動局装置との間で通信される信号を中継増幅する無線中継増幅装置であり、
受信信号の伝搬損が最小となる基地局装置に対応して前記中継増幅の利得を制御する中継増幅利得制御手段を備えた、
ことを特徴とする無線通信装置。
【発明の詳細な説明】
【０００１】
【発明の属する技術分野】
本発明は、無線中継増幅装置などの無線通信装置に関し、特に、例えば同一のパス内に存在する複数の基地局装置からのパスの検出が可能な技術に関する。
【０００２】
【従来の技術】
例えば直接拡散−符号分割多元接続（ＤＳ−ＣＤＭＡ：Direct Sequence - Code Division Multiple Access）方式を用いて基地局装置と移動局装置との間で無線通信を行う移動通信システムでは、信号を拡散符号（コード）により拡散して得られる拡散信号を無線により送受信することが行われる。また、このようなシステムには、基地局装置と移動局装置との間で通信される信号を中継増幅する無線中継増幅装置が設けられる。
【０００３】
なお、無線中継増幅装置では、基地局装置から移動局装置に対して無線送信される信号（下り信号）を受信して増幅した後に移動局装置に対して無線送信し、移動局装置から基地局装置に対して無線送信される信号（上り信号）を受信して増幅した後に基地局装置に対して無線送信することにより、基地局装置と移動局装置との間で通信される信号を中継増幅する。
【０００４】
このようなシステムでは、例えば、複数の伝送シンボル区間にわたって、基地局装置毎に固有である長い拡散符号（ロングコード）と基地局装置内で多重化された各チャネル毎に固有である短い拡散符号（ショートコード）とを乗算した系列をスペクトラム拡散のための拡散符号として用いることが行われる。なお、基地局装置毎に固有である長い拡散符号としては例えばスクランブリングコードが用いられ、各チャネル毎に固有である短い拡散符号としては例えばチャネライゼーションコードが用いられる。
【０００５】
また、このようなシステムでは、例えば、前記基地局装置毎のスクランブリングコードによる拡散を一定の周期で行わない（マスクする）ことにより、システムで唯一であるプライマリシンクロナイゼーションコードのみで拡散されるチャネルを一定周期で設けて同期チャネルとして用いることが行われる。また、このようなシステムでは、例えば、基地局装置から移動局装置への下り通信において報知チャネルを設け、付随する制御チャネル（共通パイロットチャネル）の送信電力値（報知チャネル送信電力値）などの報知情報を当該報知チャネルを用いて送信することが行われる。
【０００６】
なお、例えば特開２００１−６９０９１号公報のブースター等には無線中継増幅装置に関して記載されており、例えば「ＤＳ−ＣＤＭＡ移動通信におけるロングコード同期、１９９５年電子情報通信学会総合大会  Ｂ−４２９  中村、梅田、東」や「ＤＳ−ＣＤＭＡ基地局間非同期セルラ方式におけるロングコードの２段階高速初期同期法、電子情報通信学会技報  ＣＳ９６−１９、ＲＣＳ９６−１２（１９９６−０５）、樋口、佐和橋、安達」には同期チャネルのサーチモードや報知チャネルのサーチモードなどに関して記載されており、例えば「３ＧＰＰＴＳ（Technical Specification）  ３ＧＴＳ２５．２１１（Ｖ３．２．０）」や「３ＧＰＰ  ＴＳ（Technical Specification）  ３ＧＴＳ２５．２１３（Ｖ３．２．０）」にはセルサーチに用いられる下り信号である同期チャネル（ＳＣＨ：Synchronisation Channel）などの種々なチャネルのフォーマット例などが記載されている。
【０００７】
ここで、従来技術における無線中継増幅装置の例として、報知チャネルの信号を当該無線中継増幅装置により受信することができた基地局装置に対応して、当該基地局装置に関する伝搬損の変化に応じて無線中継増幅器の利得を逐次設定して当該無線中継増幅器を制御することが行われる。だが、このような従来技術では、例えば基地局装置の増設や周囲の環境変化による伝搬路の変化などに対して即座に対応することができないという問題点があった。この対策として、例えば、後述する第１の参考技術例で示すような時間窓外での他局検出により新規局（新規な基地局装置）の追加を行う機能を有する無線中継増幅装置が検討等されており、また、後述する第２の参考技術例や第３の参考技術例に示すような方法により、当該時間窓外での他局検出では検出できない時間窓内に存在する新規局を追加する機能を有する無線中継増幅装置が検討等されている。
【０００８】
【発明が解決しようとする課題】
しかしながら、従来の無線中継増幅装置では、例えば異なる基地局装置からの信号が同一の受信タイミングに存在するような場合には、受信レベルが高いいずれか一方の基地局装置のみしか検出することができず、他方の基地局装置が検出不可能な基地局装置として存在してしまうといった不具合があった。そして、この結果、従来の無線中継増幅装置では、最適な利得の設定を行うことができず、不適切な利得制御が行われてしまうことで過増幅により干渉の増大が生じてしまうことなどが生じ、設定する環境によっては動作が不安定になってしまうといった不具合があった。なお、本明細書では、異なる通信局装置（例えば基地局装置）からの信号が同一の受信タイミングに重なってしまうような状況を、これらの受信信号が同一のパス内に存在するというような表現を用いて説明する。
【０００９】
ここで、本発明の課題を更に具体的に説明する。
例えば、同期チャネルサーチモードにおけるスクランブリングコードグループの同定動作が本発明の対象の一例となる。
移動局装置などが電源投入時等の初期状態から在圏セルをサーチする場合には初期セルサーチを行い、このときに同期チャネルであるＳＣＨ（Synchronisation Channel）が用いられる。
基地局装置毎に固有なスクランブリングコードは６４のグループに分けられている。そして、スクランブリングコードの同定に際しては、最初にグループの同定を行い、次に、同定したグループ内に割り当てられたスクランブリングコードのみを用いて受信信号を逆拡散することでスクランブリングコードを同定する。
【００１０】
一般に、スクランブリングコードの同定の際に使用するＳＣＨでは、プライマリ同期コード（ＰＳＣ：Primary Synchronisation Code  ）とセカンダリ同期コード（ＳＳＣ：Secondary Synchronisation Code）との２種類のコードが用いられる。ＰＳＣはシステムで唯一であり、更に、１フレーム中に１５個設けられるスロットのそれぞれにおいて同一であり、このため、複数の基地局装置からの送信波を受信できればＰＳＣに基づいてスロットタイミングを一度に検出することが可能である。
【００１１】
一方、ＳＳＣとしては１６種類のコードが選択的に用いられ、割り当てるスクランブリングコードグループ毎に、前記１５個設けられるスロットについて異なる組合せのコードが用いられる。つまり、１フレームでは、１５個のスロットのそれぞれの先頭にＰＳＣによる拡散信号が設けられるとともにＳＳＣによる拡散信号が多重され、各スロットのＰＳＣでは同期が確立され、これら１５個の各スロットのＳＳＣでは当該１５個の各スロットで用いられるコードの組合せ（並び）に対応してスクランブリングコードグループが特定される。受信側では、ＳＳＣに割り当てられた１５スロット分のコードの全てが判定されて当該コードの組合せが判定されれば、スクランブリングコードのグループが特定されてスクランブリングコードの候補が絞られる。
【００１２】
そして、従来では、ＳＳＣでのグループ同定として、１５個分のスロットのＳＳＣに対してスクランブリングコードのグループに割り当てられたコードの組合せを用いて逆拡散を行い、これにより得られた相関ピーク値が最大となるグループを通信対象となる基地局装置（基準となる基地局装置）のスクランブリングコードを含むグループであると判定していた。
【００１３】
しかしながら、従来の技術では、上述のように、例えば全く同一のタイミング（パス内）で複数の基地局装置からのＰＳＣを受信したような場合には、これら複数の基地局装置の中で、ＳＳＣを逆拡散して得られる相関ピーク値が最大となる基地局装置のみしか検出することができなくなってしまうといった不具合があった。
【００１４】
なお、第３世代移動通信システムの標準仕様書のうち無線アクセスに関するものとして、例えば上記した「３ＧＰＰ  ＴＳ  ３ＧＴＳ２５．２１１（Ｖ３．２．０）」には、ＳＣＨ（ｐ．２７  ５．３．３．４）などについて記載されており、また、上記した「３ＧＰＰ  ＴＳ  ３ＧＴＳ２５．２１３（Ｖ３．２．０）」には、スクランブリングコード（ｐ．２０  ５．２．２）やＳＳＣ（ｐ．２２５．２．３．２）やＳＳＣのコードの組合せ（ｐ．２２  ５．２．３．２  Ｔａｂｌｅ４）などについて記載されている。
【００１５】
また、例えば初期セルサーチについての記載が特開平１１−１２２１４１の「初期同期捕捉方法及び初期同期捕捉回路」や特開２００１−７７８２の「ＣＤＭＡ受信回路」にあり、これらの文献で言うショートコードがＰＳＣ及びＳＳＣに相当し、これらの文献で言うロングコードがスクランブリングコードに相当する。また、「Ｗ−ＣＤＭＡシステムの無線方式、  ＦＵＪＩＴＳＵ．５１．１．ｐｐ．１３−１８（０１，２００１）」には、Ｗ−ＣＤＭＡシステムの無線インタフェースにおけるレイヤ１の仕様について記載されている。
【００１６】
本発明は、上記のような従来の課題を解決するためになされたもので、例えば同一のパス内に存在する複数の通信局装置からのパスを検出することができる無線通信装置を提供することを目的とする。
【００１７】
【課題を解決するための手段】
上記目的を達成するため、本発明に係る無線通信装置では、固有コードグループ識別コードを用いて拡散された信号を無線送信する通信局装置から当該拡散信号を受信するに際して、次のようにして、固有コードグループの候補を検出する。なお、固有コードグループ識別コードは、各通信局装置毎に固有なコード（固有コード）が属するグループ（固有コードグループ）を識別するためのコードである。
すなわち、逆拡散手段が当該受信拡散信号を複数の固有コードグループ識別コードのそれぞれを用いて逆拡散し、固有コードグループ候補検出手段が当該逆拡散結果に基づく値が所定の閾値を超える固有コードグループ識別コードに対応した固有コードグループを候補として検出する。
【００１８】
従って、固有コードグループ識別コードにより拡散された受信拡散信号が複数の固有コードグループ識別コードのそれぞれにより逆拡散されて、当該逆拡散結果に基づく値が所定の閾値を超える固有コードグループ識別コードに対応した固有コードグループの例えば全てが候補として検出されるため、例えば同一のパス内に複数の通信局装置からの受信拡散信号が重なってしまったような場合においても、これら複数の通信局装置のそれぞれに割り当てられた固有コードが含まれる固有コードグループの全てを候補として検出することができる。
【００１９】
なお、例えば検出対象となる同一のパス内において既に受信パスが検出されていて固有コードグループが同定されているような基地局装置があるような場合には、当該基地局装置からの受信パスに基づいて検出される固有コードグループを除いて、つまり当該基地局装置以外の基地局装置からの受信パスのみに関して候補となる固有コードグループを検出するようなことが行われてもよく、本発明はこのような実施態様を包含する。
【００２０】
ここで、無線通信装置としては、例えば無線中継増幅装置や移動局装置や基地局装置などの種々な通信装置に適用することが可能である。
また、通信局装置としては、例えば基地局装置が用いられるが、他の通信装置が用いられてもよい。
【００２１】
また、例えば通信局装置として基地局装置が用いられる場合、各通信局装置毎に固有なコードとしてはスクランブリングコードを用いることができ、固有コードグループとしてはスクランブリングコードのグループを用いることができ、固有コードグループ識別コードとしては同期チャネルのセカンダリ同期コード（ＳＳＣ）を用いることができる。
【００２２】
また、固有コードグループの数としては任意であってもよく、また、各固有コードグループに含まれる固有コードの種類や数としては任意であってもよい。
また、逆拡散では、例えば同期チャネルのプライマリ同期コード（ＰＳＣ）などを用いて得られる受信タイミングに同期して、受信拡散信号を各固有コードグループ識別コードにより逆拡散することが行われる。なお、逆拡散に用いられる複数の固有コードグループ識別コードは、例えば予め受信側となる無線通信装置に設定される。
【００２３】
また、逆拡散結果に基づく値としては、例えば受信拡散信号と各固有コードグループ識別コードとの相関度を表す値を用いることができ、このような値は前記逆拡散により取得することができる。
また、所定の閾値としては、種々な値が用いられてもよく、例えば受信拡散信号の拡散に用いられた可能性がある固有コードグループ識別コードの全てを候補として検出することができるような値が用いられるのが好ましい。
【００２４】
また、本発明に係る無線通信装置では、更に、次のようにして、通信局装置に割り当てられた固有コードを同定する。
すなわち、通信局装置から固有コードを用いて拡散された信号を受信する場合に、固有コード同定手段が固有コードグループ候補検出手段により検出された候補（固有コードグループ）に属する固有コードの中から当該受信拡散信号の拡散に用いられた固有コードを同定する。
【００２５】
従って、例えば同一のパス内に複数の通信局装置からの受信拡散信号が重なってしまったような場合においても、これらの各通信局装置に割り当てられた固有コードが含まれる固有コードグループの例えば全てが候補として検出されることにより、当該候補に属する固有コードの中から当該各通信局装置に割り当てられた固有コードを同定することが可能となる。
【００２６】
なお、上記と同様に、例えば検出対象となる同一のパス内において既に受信パスが検出されていて固有コードが同定されているような基地局装置があるような場合には、当該基地局装置からの受信パスに基づいて同定される固有コードを除いて、つまり当該基地局装置以外の基地局装置からの受信パスのみに関して固有コードを同定するようなことが行われてもよく、本発明はこのような実施態様を包含する。
【００２７】
ここで、固有コードを用いて拡散された信号としては、例えば固有コードの一例であるスクランブリングコードを用いて拡散された報知チャネルや制御チャネルや情報チャネルなどの信号を用いることができる。
【００２８】
また、本発明に係る無線通信装置では、一実施態様例として、固有コードグループ識別コードは所定の複数のスロットコードから構成され、当該所定の複数のスロットコードの並びと固有コードグループとが対応させられる。
ここで、所定の複数としては、種々な数が用いられてもよい。
また、スロットコードとは各スロット毎のコードであり、当該コードとしては複数種類のコードが選択的に用いられる。そして、所定の複数のスロットコードの並び（コードの種類の組合せ）により固有コードグループが例えば１対１で対応させられる。
【００２９】
一例として、同期チャネルのセカンダリ同期コード（ＳＳＣ）が固有コードグループ識別コードとして用いられる場合には、所定の複数として１５が用いられ、スロットコードとして１６種類のコードが選択的に用いられる。この場合、１フレーム中に含まれるＳＳＣのパターン（ＳＳＣの数）は１フレーム中のスロット数である１５パターン存在する。そして、各スロット毎にＳＳＣコードを硬判定する構成では、各スロット毎に比較対象として用意したＳＳＣコードと各スロットで実際に用いられているＳＳＣコードとが合致するか否かを“１”値（合致する場合）か“０”値（合致しない場合）で表して当該値を１５スロット分加算した結果を相関値とすることを行い、この場合、計算上における相関ピークの最大値は１５となる。
なお、実機での調整の結果の一例では、前記固有コードグループ候補検出手段により用いられる所定の閾値として相関ピークの最大値の２／５の値を用いるのが好ましいことが検出され、つまり、当該所定の閾値として６（＝１５×２／５）を用いるのが好ましいことが検出された。
【００３０】
本発明を適用した場合には、ＳＳＣでのグループ同定に際して、例えば当該所定の閾値以上の相関ピークのレベルが得られた複数のスクランブリングコードグループを記憶し、記憶したそれぞれのスクランブリングコードグループについて当該スクランブリングコードグループに属するスクランブリングコードと受信拡散信号の拡散に用いられたスクランブリングコードとが合致するか否かを判定して、スクランブリングコードの同定を行う。
【００３１】
また、本発明に係る無線通信装置は、好ましい態様例として、基地局装置と移動局装置との間で通信される信号を中継増幅する無線中継増幅装置であり、中継増幅利得制御手段が受信信号の伝搬損が最小となる基地局装置に対応して前記中継増幅の利得を制御する。なお、基地局装置が通信局装置に相当する。
従って、受信信号の伝搬損が最小となる基地局装置を検出するに際して、同一のパス内に受信拡散信号が存在する複数の基地局装置を検出することができるため、受信信号の伝搬損が最小となる基地局装置を正確に検出することができる。
【００３２】
ここで、基地局装置や移動局装置や無線中継増幅装置としては、種々な通信装置が用いられてもよい。
また、基地局装置と移動局装置との間で通信される信号を中継増幅する態様としては、例えば基地局装置から無線送信される信号を受信して増幅した後に移動局装置に対して無線送信する下り通信の中継増幅と、移動局装置から無線送信される信号を受信して増幅した後に基地局装置に対して無線送信する上り通信の中継増幅とのいずれか一方或いは両方を行うような態様を用いることができる。
また、伝搬損が最小となる基地局装置に対応して中継増幅の利得を制御することは、例えば下り信号の中継増幅と上り信号の中継増幅とのいずれか一方について行われてもよく、或いは、両方について行われてもよい。
【００３３】
なお、本発明に係る無線通信装置は、好ましい態様として、ＣＤＭＡ方式を用いた移動通信システムで用いられる無線通信装置に適用されるのに好適なものである。
ここで、ＣＤＭＡ方式としては、例えばＷ（Wideband）−ＣＤＭＡ方式などの種々な方式が用いられてもよい。
また、移動通信システムとしては、例えば携帯電話システムや簡易型携帯電話システム（ＰＨＳ：Personal Handy phone System）などの種々なシステムが用いられてもよい。
【００３４】
【発明の実施の形態】
本発明の一実施例を図面を参照して説明する。
図１には、本発明を適用した他局検出機能を有した他局検出処理部２５を含む無線中継増幅装置の一構成例を示してあり、この無線中継増幅装置には、無線復調部１と、Ａ／Ｄ（Analog to Digital）変換部２と、サーチ部３と、逆拡散部４と、ベースバンド復調部５と、報知情報解析部６と、受信レベル測定部７と、伝搬損算出部８と、検出局リスト保持部９と、利得設定部１０と、無線中継増幅部１１とが備えられている。また、サーチ部３には、サーチ制御部２１と、パス検出部２２と、タイミング生成部２３と、コード同定部２４と、他局検出処理部２５とが備えられている。
【００３５】
ここで、本例の無線中継増幅装置では特にサーチ部３の機能に特徴があるため、以下では、当該サーチ部３について詳細に説明し、他の構成部分については概略的に説明する。
すなわち、概略的には、無線復調部１は、例えばＷ−ＣＤＭＡ方式に基づく移動通信システム等において直交変調された変調波を受信した信号を復調してベースバンド信号へ変換する。Ａ／Ｄ変換部２は、当該ベースバンド信号をデジタル信号へ変換する。サーチ部３は、当該Ａ／Ｄ変換部２出力のデジタル信号を使用して、同期チャネルのパスタイミングの検出や、受信信号の送信元となる基地局装置で用いられたスクランブリングコード（基地局スクランブリングコード）の同定などを行い、当該基地局装置を検出する。
【００３６】
逆拡散部４は、サーチ部３のタイミング生成部２３からのタイミング情報及びサーチ部３のコード同定部２４からのコード情報に基づいて受信信号を逆拡散する。ベースバンド復調部５は、逆拡散部４出力から受信信号を復調や復号し、当該復調データを取得する。報知情報解析部６は、当該復調データ中に含まれる報知情報を解析して、受信信号の送信元となる基地局装置における送信電力値の情報を得る。受信レベル測定部７は、逆拡散部４出力の受信信号を使用して、受信信号の受信レベルを測定する。伝搬損算出部８は、報知情報解析部６から通知される送信電力値の情報と受信レベル測定部７から通知される受信レベルの情報とから、例えば当該送信電力値と当該受信レベルとの差分に相当する伝搬損を算出する。
【００３７】
検出局リスト保持部９は、サーチ部３により検出した基地局装置に関する情報を例えばメモリにリストとして記憶する。なお、基地局装置に関する情報としては、例えば基地局装置に関する伝搬損の情報やパスタイミングの情報やスクランブリングコードの情報などが含まれる。利得設定部１０は、当該リストに登録されている基地局装置の中から最も伝搬損が少ない基地局装置を検出して親局とし、当該親局に関する伝搬損に対応して無線中継増幅部１１の利得を設定する。無線中継増幅部１１は、利得設定部１０からの利得の設定値に応じて、上り信号や下り信号の増幅を行う。
【００３８】
次に、サーチ部３を構成する各処理部２１〜２５を説明する。
サーチ制御部２１は、同期チャネル用のチャネライゼーションコードの同定処理を行い、また、当該サーチ部３のサーチモードの切り替えや、同期チャネル用のチャネライゼーションコードの切り替えや、スクランブリングコードの切り替えや、タイミングの設定などを行う。なお、サーチ制御部２１は、検出局リスト保持部９に保持されているリストの基地局装置に関する情報（局情報）を参照する。
【００３９】
パス検出部２２は、サーチ制御部２１により指定されるサーチモードやコードやタイミングに従って受信信号と拡散符号（例えば、チャネライゼーションコード）との相関値を算出し、当該相関値に基づいてパスの検出を行う。また、パス検出部２２は、検出したパスの位置（タイミング）に関する情報をタイミング生成部２３や他局検出処理部２５へ通知する。
【００４０】
タイミング生成部２３は、サーチ制御部２１及びパス検出部２２からの制御信号（サーチモードの設定）に従って、所望のパスのタイミングを生成する。また、タイミング生成部２３は、生成したパスタイミングの情報をコード同定部２４や逆拡散部４や検出局リスト保持部９へ通知する。
【００４１】
コード同定部２４は、サーチ制御部２１からの制御信号（候補となる基地局装置のスクランブリングコード）に従って、タイミング生成部２３から出力されるタイミングを用いて受信信号の拡散に用いられたスクランブリングコードの同定を行う。また、コード同定部２４は、同定したスクランブリングコードを識別する番号（コード番号）の情報を逆拡散部４や検出局リスト保持部９へ通知する。
【００４２】
他局検出処理部２５は、パス検出部２２から入力されるパス位置の情報やサーチ制御部２１からの制御信号（パイロットパスのタイミング）に従って、基準となる基地局装置（基準基地局装置）以外の基地局装置（他の基地局装置）からの受信パスを検出する他局検出処理を行う。また、他局検出処理部２５は、検出した他の基地局装置（他局）のパス位置に関する情報をタイミング生成部２３へ通知する。
【００４３】
なお、基準となる基地局装置としては、例えば検出局リスト保持部９のリストに登録されている基地局装置の中で伝搬損が最も小さい基地局装置が用いられる。また、パイロットパスとしては、例えば、このような基準基地局装置から受信する複数のパスの中で受信レベルが最大となるパスが用いられる。
【００４４】
次に、サーチ部３の動作例を示す。
本例のサーチ部３では、動作のモードとして、▲１▼同期チャネルサーチモードと、▲２▼報知チャネルサーチモードと、▲３▼他局サーチモードとがあり、▲１▼同期チャネルサーチモードと▲２▼報知チャネルサーチモードについては、例えば後述する第１の参考技術例で説明する無線中継増幅装置における各モードと同様であり同様な動作が行われる。
【００４５】
本例の▲３▼他局サーチモードでは、例えば後述する第１の参考技術例で説明する無線中継増幅装置における▲３▼他局サーチモードで行われる窓外他局検出の処理に加えて、例えば後述する第２の参考技術例で説明する窓内他局検出の処理や或いは後述する第３の参考技術例で説明する窓内他局検出の処理が行われ、更に、後述するような本例に特徴的なパス内での他局検出の処理が行われる。
【００４６】
ここで、本例に特徴的なパス内他局検出の処理においては、同一パス内に複数の基地局装置からの受信パスが存在し得ることを考慮して、サーチ制御部２１では、同一パス内の受信信号について１５スロット分のセカンダリ同期コード（ＳＳＣ）に関する相関値が任意の閾値（具体例としては、上記のように、６）を超えたものに対応するスクランブリングコードグループに属するスクランブリングコードの候補を任意の数だけ記憶し、更に、その候補についてコード同定部２４によりコードの同定を行う。なお、コード同定部２４により同定されたスクランブリングコードを識別するコード情報は検出局リスト保持部９へ出力されて、当該検出局リスト保持部９により記憶される。
【００４７】
次に、図２には、他局検出処理部２５の構成例を示してあり、本例の他局検出処理部２５には、サーチ制御部２１側に設けられたセレクタ（ＳＥＬ）３１と、窓外他局検出処理部３２と、窓内他局検出処理部３３と、パス内他局検出処理部３４と、タイミング生成部２３側に設けられたセレクタ（ＳＥＬ）３５とが備えられている。このように、他局検出処理部２５は、窓外他局検出を行う機能、窓内他局検出を行う機能、及びパス内他局検出を行う機能を有し、サーチ制御部２１により設定される他局検出モードに従って動作する。
【００４８】
サーチ制御部２１側のセレクタ３１は、サーチ制御部２１からパイロットパスのタイミングを指定する制御信号を入力するとともに、当該サーチ制御部２１から他局検出モードを指定する制御信号（他局検出モード信号）を入力し、当該他局検出モード信号により指定される他局検出モードに従って、当該パイロットパスタイミングを供給する先を窓外他局検出処理部３２と窓内他局検出処理部３３とパス内他局検出処理部３４とで切り替える。
【００４９】
タイミング生成部２３側のセレクタ３５は、サーチ制御部２１から上記した他局検出モード信号を入力し、当該他局検出モード信号により指定される他局検出モードに従って、他局検出処理により検出されてタイミング生成部２３に対して供給する他局パス位置情報の取り出し元を窓外他局検出処理部３２と窓内他局検出処理部３３とパス内他局検出処理部３４とで切り替える。
【００５０】
ここで、サーチ制御部２１により制御される他局検出モード信号は、窓外他局検出の動作と窓内他局検出の動作とパス内他局検出の動作とを切り替えるための信号であり、上記した２つのセレクタ３１、３５では、窓外他局検出を行うべき指示に応じて窓外他局検出処理部３２へ切り替えられ、窓内他局検出を行うべき指示に応じて窓内他局検出処理部３３へ切り替えられ、パス内他局検出を行うべき指示に応じてパス内他局検出処理部３４へ切り替えられる。
なお、窓外他局検出や窓内他局検出やパス内他局検出の動作をサーチ制御部２１により切り替えて実行する場合の処理手順としては、種々な処理手順が用いられてもよい。
【００５１】
窓外他局検出処理部３２は、窓外他局検出の処理を行い、例えば基準タイミングを中心とする時間窓の外側に受信パスが存在する基地局装置を検出する。
窓内他局検出処理部３３は、窓内他局検出の処理を行い、例えば基準タイミングを中心とする時間窓の内側に受信パスが存在する基地局装置の候補の内で、未検出の基地局装置を検出する。
パス内他局検出処理部３４は、パス内他局検出の処理を行い、例えば基準タイミングと同一の受信タイミングに受信パスが存在する基地局装置の候補の内で、未検出の基地局装置を検出する。
【００５２】
ここで、本例では、受信信号の伝搬損が最小となる基地局装置を基準として、当該基準となる基地局装置から受信する信号のパスの中で受信レベル（例えば逆拡散時の相関レベル）が最大となるパスをパイロットパスとし、当該パイロットパスの受信タイミングを基準となるタイミング（基準タイミング）としている。そして、窓外他局検出や窓内他局検出では当該基準タイミングを中心として時間窓を設定することが行われる。また、パス内他局検出では当該基準タイミングと同一のパス内に存在する基準基地局装置以外の基地局装置（他の基地局装置）からの受信パスが検出される。
【００５３】
次に、上記図２に示した他局検出処理部２５の動作例を示す。
まず、サーチ制御部２１から出力されるパイロットパスタイミングをセレクタ３１により切り替える。この切り替えは、サーチ制御部２１から出力される他局検出モード信号に従って行われる。このセレクタ３１により切り替えられたパイロットパスタイミングは、窓外他局検出処理部３２、窓内他局検出処理部３３、又は、パス内他局検出処理部３４のいずれか一つへ出力される。
【００５４】
パイロットパスタイミングが窓外他局検出処理部３２へ出力された場合には、窓外他局検出処理部３２では、例えば後述する第１の参考技術例で説明する無線中継増幅装置における▲３▼他局サーチモードで行われる窓外他局検出の処理と同様な処理を行い、これにより検出した他局パスの位置の情報をセレクタ３５へ出力する。
【００５５】
また、パイロットパスタイミングが窓内他局検出処理部３３へ出力された場合には、窓内他局検出処理部３３では、例えば後述する第２の参考技術例で説明する窓内他局検出の処理や或るは後述する第３の参考技術例で説明する窓内他局検出の処理と同様な処理を行い、これにより検出した他局パスの位置の情報をセレクタ３５へ出力する。
【００５６】
また、パイロットパスタイミングがパス内他局検出処理部３４へ出力された場合には、受信パスの検出対象となる受信タイミングはパイロットパスタイミングと同一であるため、パス内他局検出処理部３４では、他局パス位置としてパイロットパスタイミングで与えられるパス位置と同一の位置を用いてパス内他局検出の処理を行い、これにより検出した他局パスの位置の情報をセレクタ３５へ出力する。
【００５７】
セレクタ３５では、上記した３つの他局検出処理部３２〜３４から出力される他局パス位置情報のいずれか一つを出力対象となる他局パス位置情報として切り替え、切り替えた他局パス位置情報をタイミング生成部２３へ出力する。この切り替えは、サーチ制御部２１から出力される他局検出モード信号に従って行われ、サーチ制御部２１側のセレクタ３１の切り替えと同期させられる。
【００５８】
このようにして他局パス位置の情報が取得されると、コード同定部２４では、タイミング生成部２３から出力されるパスタイミングを使用して、未検出の基地局装置で用いられているスクランブリングコードの同定処理を行う。
本例では、このようなパス内他局検出を行うことにより、従来では検出不可能であったパス内に存在する他の基地局装置からの受信パスの検出が可能となり、これにより、例えば常時において最適な利得設定を行うことが可能となる無線中継増幅装置を実現することができる。
【００５９】
以上のように、本例のパス内他局検出機能を有した無線中継増幅装置では、同一のタイミングでパス信号が受信された可能性がある基地局スクランブリングコードの候補を複数記憶し、記憶した複数の基地局スクランブリングコードを候補として使用して受信パスで用いられた基地局スクランブリングコードの同定を行うことにより、例えば基準となる基地局装置からの同期用チャネルの検出パスと比べてｎスロット（ｎは、例えば０から１４までの任意の整数）ずれたタイミングで受信される当該基準基地局装置以外の基地局装置からの受信パスを検出することが可能となる。これにより、例えば基準基地局装置と同一のパス内に受信パスが存在する他の基地局装置の検出が可能となり、また、このようなパス内他局検出機能を有することで、無線中継増幅装置において、より安定で且つより高精度な利得設定が可能となる。
【００６０】
なお、本例では、同期チャネルの１５スロット分のセカンダリ同期コード（ＳＳＣ）の組合せに基づいて、基準基地局装置と同一のパス内に受信パスが存在する当該基準基地局装置以外の基地局装置に割り当てられたスクランブリングコードが属するグループを判定し、その後、判定した１又は複数のグループに属する複数のスクランブリングコードの中から当該受信パスの拡散に用いられたスクランブリングコードを同定し、当該受信パスを、当該同定したスクランブリングコードが割り当てられた基地局装置からの受信パスであるとして検出する。
【００６１】
また、本例では、１フレーム中に１５スロットが含まれており、各スロットではプライマリ同期コード（ＰＳＣ）を用いて拡散された信号が先頭に含まれてこれにコードが多重されてセカンダリ同期コード（ＳＳＣ）を用いて拡散された信号が含まれることから、プライマリ同期コードの受信タイミングが一致して受信タイミングが同一であるとみなされる場合としては、上記のように、ｎ＝０〜１４のいずれかの数のスロット分だけ受信タイミングがずれた１５通り考えられる。
【００６２】
そして、本例では、同期チャネルサーチモードにおいて、１５スロット分の同期チャネル（ＳＣＨ）内のセカンダリ同期コード（ＳＳＣ）についての逆拡散結果であって所定の閾値以上となる任意の個数の相関ピーク値を選択し、選択した相関ピーク値を取得したときに用いたセカンダリ同期コードの１５スロット分の並びに対応するグループを候補として検出し、検出したグループ候補のそれぞれを用いてスクランブリングコードの同定を行うことにより、例えば複数の基地局装置からのスクランブリングコードによる拡散信号の受信タイミングが同一であるような場合においても、これら複数の基地局装置のそれぞれに割り当てられたスクランブリングコードが属するグループや当該スクランブリングコードを特定することが可能となる。
【００６３】
なお、本発明に係る無線通信装置では、好ましい態様として、例えばビル等による反射などによって無線通信される信号が複数のパスを経由して伝搬するようなマルチパスが発生する通信環境においては、各パスの信号毎に異なる信号が存在するとしてパス検出を行う。
すなわち、例えば基準となる通信局装置から無線送信される拡散信号が複数のパスを経由して到来する複数のパス信号として受信される場合にはこれら複数のパス信号の中のいずれか１つのパス信号を基準として所定の時間幅（時間窓）を設定することなどを行い、また、当該基準通信局装置以外の通信局装置から無線送信される拡散信号が複数のパスを経由して到来する複数のパス信号として受信される場合には各パス信号毎にパス信号を検出する。なお、同一の信号から発生した複数のパス信号を受信側でＲＡＫＥ合成などにより合成する態様を用いることが可能である。
【００６４】
また、基準となる基地局装置以外の基地局装置から無線送信されて受信する信号を検出する態様としては、例えば当該受信信号自体の存在を検出することを行うような態様ばかりでなく、例えば何らかの受信信号が存在するが当該受信信号の送信元がわからないような場合に、当該受信信号を無線送信した基地局装置を特定した状態で当該受信信号を検出すること（つまり、当該基地局装置を同定すること）を行うような態様を含んでいる。
【００６５】
また、基準となる基地局装置から無線送信される信号の受信タイミングを含む所定の時間幅としては、種々な時間幅が用いられてもよい。例えば、ＣＤＭＡ方式を用いた無線通信では、当該時間幅として、基準となる信号を中心として±ｍチップの時間幅を用いることができ、ここで、ｍは１以上の数であり、また、チップは拡散符号を構成する単位であって、所定の複数のチップのデータ値（例えば、“１”値及び“０”値）の並びから１単位の拡散符号が構成される。
【００６６】
また、本例では、本発明を適用したパス検出の方法を無線中継増幅装置の利得制御に適用した場合を示したが、このようなパス検出方法を、例えば無線携帯機などの移動局装置が通信対象とする基地局装置を検索するパスサーチのような処理に適用することもできる。このような移動局装置におけるパスサーチでは、本発明を適用したパス検出方法により、例えば、スペクトラム拡散された受信信号から複数のパスを検出し、検出したパスの中から基準となるパスを選択し、選択した基準となるパスと同一のパス内でのパス検出処理などを行うことにより、例えば伝搬損が最小となるような通信対象として最適な基地局装置を検索する。ここで、パスサーチとしては、例えば移動局装置の起動時などに行われる初期的なパスサーチや、例えばハンドオーバ時に行われるパスサーチなどに適用することができる。
【００６７】
ここで、本例では、無線通信装置として無線中継増幅装置が用いられており、通信局装置として基地局装置が用いられており、基地局装置毎に固有なコードとしてスクランブリングコードが用いられており、固有コードグループ識別コードとして１５スロット分の同期チャネルのセカンダリ同期コード（ＳＳＣ）が用いられている。
【００６８】
また、本例では、サーチ部３がセカンダリ同期コードによる１５スロット分の受信拡散信号を複数種類の組合せに係るセカンダリ同期コードのそれぞれの組合せを用いて逆拡散する機能により、逆拡散手段が構成されている。
また、本例では、サーチ部３が当該逆拡散結果に基づく相関ピーク値が所定の閾値を超えるセカンダリ同期コードの組合せに対応したスクランブリングコードグループを候補として検出する機能により、固有コードグループ候補検出手段が構成されている。
【００６９】
また、本例では、基地局装置から無線送信される固有コードを用いて拡散された信号として、例えば報知チャネルなどの拡散信号が用いられている。
また、本例では、サーチ部３が候補として検出したスクランブリングコードグループに属するスクランブリングコードの中から報知チャネルなどの受信拡散信号の拡散に用いられたスクランブリングコードを同定する機能により、固有コード同定手段が構成されている。
【００７０】
また、本例では、固有コードグループ識別コードは１５個のスロットのセカンダリ同期コードから構成され、各スロットのセカンダリ同期コードによりスロットコードが構成されている。また、本例では、１５個のスロットのセカンダリ同期コードの並びによりスクランブリングコードグループが同定される。
また、本例では、利得設定部１０や無線中継増幅部１１などが受信信号の伝搬損が最小となる基地局装置に対応して中継増幅の利得を制御する機能により、中継増幅制御手段が構成されている。
【００７１】
ここで、本発明に係る無線通信装置などの構成としては、必ずしも以上に示したものに限られず、種々な構成が用いられてもよい。
また、本発明の適用分野としては、必ずしも以上に示したものに限られず、本発明は、種々な分野に適用することが可能なものである。
【００７２】
また、本発明に係る無線通信装置などにおいて行われる各種の処理としては、例えばプロセッサやメモリ等を備えたハードウエア資源においてプロセッサがＲＯＭ（Read Only Memory）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Compact Disc）−ＲＯＭ等のコンピュータにより読み取り可能な記録媒体や当該プログラム（自体）として把握することもでき、当該制御プログラムを記録媒体からコンピュータに入力してプロセッサに実行させることにより、本発明に係る処理を遂行させることができる。
【００７３】
以下で、本発明の参考となる技術例を示しておく。
まず、第１の参考技術例に係る無線中継増幅装置を説明する。
本例の無線中継増幅装置では、基地局装置から無線送信される同期チャネルや報知チャネルの拡散信号を受信するに際して、受信した同期チャネルの拡散信号に基づいて受信タイミングや当該基地局装置により用いられる拡散符号（コード）を検出し、受信した報知チャネルの拡散信号に基づいて報知情報を取得する。ここで、基地局装置により用いられる拡散符号としては、例えばシステムで唯一な同期用のチャネライゼーションコードや、例えば各基地局装置毎に固有なスクランブリングコードなどがあり、報知チャネルの拡散符号としては例えばチャネライゼーションコードとスクランブリングコードとの積に相当するコードが用いられる。
【００７４】
また、本例の無線中継増幅装置では、基準となる基地局装置（基準基地局装置）から受信される複数のパス信号の中で受信レベルが最大となるパス信号をパイロットパス信号として、当該パイロットパス信号を基準として時間窓を例えば１スロット分の時間内に設け、当該１スロット分の時間内であって当該窓の外側のタイミングで受信される信号を当該基準基地局装置以外の基地局装置（他の基地局装置）から無線送信されて受信する信号として検出するような窓外他局検出処理を行い、これにより、未だに検出されていない他の基地局装置からの受信パス信号の存在やその拡散に用いられた拡散符号を検出する。
【００７５】
また、本例の無線中継増幅装置では、受信信号を検出した各基地局装置に関して受信信号の伝搬損などの情報を記憶し、当該伝搬損が最も小さくなる基地局装置に対応して下り信号（基地局装置から移動局装置に対する信号）や上り信号（移動局装置から基地局装置に対する信号）に係る中継増幅の利得を制御する。また、当該伝搬損が最も小さくなる基地局装置を上記した基準基地局装置として用いる。
【００７６】
また、本例の無線中継増幅装置では、具体的な動作例として、同期チャネルサーチモードでの処理、報知チャネルサーチモードでの処理、他局サーチモードでの処理が行われる。
同期チャネルサーチモードでは、同期チャネルに基づいて、基地局装置からの受信信号の受信タイミングを検出し、当該受信タイミングを用いて当該基地局装置で用いられたスクランブリングコードを同定する。
報知チャネルサーチモードでは、当該同定されたスクランブリングコードを用いて、当該基地局装置からの報知チャネルの受信タイミングなどを検出する。
他局サーチモードでは、未だに受信パスの存在が検出されていない基地局装置により用いられているスクランブリングコードを同定して、当該基地局装置からの受信パスを検出する。
【００７７】
次に、第２の参考技術例に係るパス検出を説明する。
本例のパス検出では、複数の基地局装置に共通なコードを用いて拡散された信号（共通拡散信号）と、各基地局装置毎に固有なコードを用いて拡散された信号（固有拡散信号）とを基地局装置から無線により受信する場合に、共通コードを用いて検出される共通拡散信号と基準となる基地局装置の固有コードを用いて検出される固有拡散信号とを比較することにより、検出した共通拡散信号の中で検出した固有拡散信号と対応しない信号（共通拡散信号）を当該基準基地局装置以外の基地局装置（他の基地局装置）からの受信パス信号として検出する。なお、共通コードとしては例えばチャネライゼーションコードが用いられ、固有コードとしては例えばスクランブリングコードが用いられる。また、本例のパス検出は、例えば基準基地局装置からの受信信号に基づいて設定された所定の時間窓の内側で受信される拡散信号に対して適用されると特に有効であり、これにより、効率的な窓内他局検出を実現することができる。
【００７８】
次に、第３の参考技術例に係るパス検出を説明する。
本例のパス検出では、各基地局装置毎に固有なコードを用いて拡散された信号を基地局装置から無線により受信するに際して、基準となる基地局装置の固有コードを用いて受信拡散信号を逆拡散し、当該逆拡散結果に基づく受信レベルに関する値が所定の閾値未満となる受信拡散信号の中から当該基準通信局装置以外の通信局装置からの拡散信号を検出する。また、当該検出に際して、受信拡散信号の拡散に用いられた固有コードを同定する。なお、共通コードとしては例えばチャネライゼーションコードが用いられ、固有コードとしては例えばスクランブリングコードが用いられる。また、本例のパス検出は、例えば基準基地局装置からの受信信号に基づいて設定された所定の時間窓の内側で受信される拡散信号に対して適用されると特に有効であり、これにより、効率的な窓内他局検出を実現することができる。
【００７９】
【発明の効果】
以上説明したように、本発明に係る無線通信装置によると、各通信局装置毎に固有なコードが属するグループを識別するための固有コードグループ識別コードを用いて拡散された信号を無線送信する通信局装置から当該拡散信号を受信するに際して、当該受信拡散信号を複数の固有コードグループ識別コードのそれぞれを用いて逆拡散し、当該逆拡散結果に基づく値が所定の閾値を超える固有コードグループ識別コードに対応した固有コードグループを候補として検出するようにしたため、例えば同一のパス内に複数の通信局装置からの受信拡散信号が重なってしまったような場合においても、例えばこれらの各通信局装置に割り当てられた固有コードが含まれる複数の固有コードグループを候補として検出することができる。
【００８０】
また、本発明に係る無線通信装置では、更に、通信局装置から固有コードを用いて拡散された信号を受信する場合に、検出された固有コードグループの候補に属する固有コードの中から当該受信拡散信号の拡散に用いられた固有コードを同定するようにしたため、例えば同一のパス内に複数の通信局装置からの受信拡散信号が重なってしまったような場合においても、例えばこれらの各通信局装置に割り当てられた固有コードを同定することが可能となる。
【図面の簡単な説明】
【図１】  本発明の一実施例に係る無線中継増幅装置の一例を示す図である。
【図２】  他局検出処理部の構成例を示す図である。
【符号の説明】
１・・無線復調部、  ２・・Ａ／Ｄ変換部、  ３・・サーチ部、
４・・逆拡散部、  ５・・ベースバンド復調部、  ６・・報知情報解析部、
７・・受信レベル測定部、  ８・・伝搬損算出部、
９・・検出局リスト保持部、  １０・・利得設定部、
１１・・無線中継増幅部、  ２１・・サーチ制御部、  ２２・・パス検出部、
２３・・タイミング生成部、  ２４・・コード同定部、
２５・・他局検出処理部、  ３１、３５・・セレクタ、
３２・・窓外他局検出処理部、  ３３・・窓内他局検出処理部、
３４・・パス内他局検出処理部、
【図１】
0004166023.tif 000002
【図２】
0004166023.tif 000003